(57)【要約】【課題】  誘引通風機の消費動力を低減させ得る再熱蒸気温度制御方法を提供することを目的とする。【解決手段】  煙道９に並列に配置された再熱通路３１および過熱通路３３と、それらの出口に設けられた再熱通路ガスダンパ３５および過熱通路ガスダンパ３７と、再熱通路３１および過熱通路３３からの燃焼ガスを誘引して排出する誘引通風機２３とが備えられ、再熱通路ガスダンパ３５および過熱通路ガスダンパ３７の合計開度を所定値とし、再熱通路ガスダンパ３５の開度と過熱ガスダンパ３７の開度とを、再熱蒸気温度が所定値になるように調節する再熱蒸気温度制御方法において、再熱蒸気温度が所定値に安定した後、再熱通路ガスダンパ３５の開度および過熱通路ガスダンパ３７の開度を同時に漸増させ、再熱蒸気温度が所定値から変動すると再熱通路ガスダンパ３５の開度および過熱通路ガスダンパ３７の開度を同時に漸減させることを特徴とする。【選択図】      図１
2006242517.tif 000002
【特許請求の範囲】
【請求項１】
再熱器を包囲するように煙道に配置された再熱通路と、前記煙道に該再熱通路と並列して配置された過熱通路と、前記再熱通路の出口に設けられた再熱通路ガスダンパと、前記過熱通路の出口に設けられた過熱通路ガスダンパと、前記再熱通路および前記過熱通路からの燃焼ガスを誘引して排出する誘引通風機とが備えられ、
前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように調節する再熱蒸気温度制御方法において、
前記再熱蒸気温度が所定値に安定した後、前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させることを特徴とする再熱蒸気温度制御方法。
【請求項２】
前記再熱通路ガスダンパの開度および前記過熱通路ガスダンパの開度の漸増は、前記各開度に対して同じ割合で増加させることを特徴とする請求項１に記載の再熱蒸気温度制御方法。
【請求項３】
再熱器を包囲するように煙道に配置された再熱通路と、前記煙道に該再熱通路と並列して配置された過熱通路と、前記再熱通路の出口に設けられた再熱通路ガスダンパと、前記過熱通路の出口に設けられた過熱通路ガスダンパと、前記再熱通路および前記過熱通路からの燃焼ガスを誘引して排出する誘引通風機とが備えられ、
前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように制御する開度制御モードが備えられた再熱蒸気温度制御装置において、
前記開度制御モードによって前記再熱蒸気温度が所定値に安定した後、前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させる最適開度設定モードが備えられていることを特徴とする再熱蒸気温度制御装置。
【請求項４】
前記最適開度設定モードは、前記再熱通路ガスダンパの開度および前記過熱通路ガスダンパの開度を、前記各開度に対して同じ割合で増加させることを特徴とする請求項３に記載の再熱蒸気温度制御装置。
【請求項５】
再熱器を包囲するように煙道に配置された再熱通路と、
前記煙道に該再熱通路と並列して配置された過熱通路と、
前記再熱通路の出口に設けられた再熱通路ガスダンパと、
前記過熱通路の出口に設けられた過熱通路ガスダンパと、
前記再熱通路および前記過熱通路からの燃焼ガスを誘引して排出する誘引通風機と、
前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように制御する再熱蒸気温度制御装置と、が備えられたボイラプラントにおいて、
前記再熱蒸気温度制御装置には、前記再熱蒸気温度が所定値に安定した後、前記合計開度を漸増させるように前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させる最適開度設定モードが備えられていることを特徴とするボイラプラント。
【請求項６】
前記最適開度設定モードは、前記再熱通路ガスダンパの開度および前記過熱通路ガスダンパの開度を、前記各開度に対して同じ割合で増加させることを特徴とする請求項５に記載のボイラプラント。
【発明の詳細な説明】
【技術分野】
【０００１】
本発明は、再熱蒸気温度制御方法、制御装置およびこれを用いたボイラプラントに関するものである。
【背景技術】
【０００２】
従来から、ボイラプラントでは、燃焼ガスを誘引通風機によって吸引し、煙突から排出することで、火炉内への空気流入を促進させることが広く行なわれている。これらのボイラプラントでは、誘引通風機の上流側に設けられたダンパの開度を調節して、燃焼ガスに対する抵抗を増減させて排出される燃焼ガス量を調節し、導入される空気量、火炉内圧力等種々の対象を制御している（例えば、特許文献１参照）。
また、ボイラプラントには、煙道に再熱器を備えた再熱通路と過熱器を備えた過熱通路とが並列に設けられているものがある。これらのボイラプラントでは、各通路の出口に設けられた再熱通路ガスダンパおよび過熱通路ガスダンパの各開度を調節し、再熱通路を流れる燃焼ガスの流量を調節して再熱蒸気温度が所定値となるように制御している。
【０００３】
【特許文献１】特開平２−１７３１７号公報（図１）
【発明の開示】
【発明が解決しようとする課題】
【０００４】
ところで、従来の再熱蒸気温度制御では、ボイラプラントの消費電力の大きな割合を占める誘引通風機の消費動力を低減させようとするものはなかった。
すなわち、ダンパの開度が大きいほど抵抗が少なくなるので、再熱蒸気温度制御が行なえる範囲で最大の開度に設定すれば、誘引通風機の動力は少なくて済むことになる。しかし、ボイラで発生する燃焼ガス量は使用する燃料によって異なる。例えば、石炭でも、産地毎に異なるし、同じボイラで石炭と油を混焼したり、油専焼となったりしても異なるし、油の種類によっても異なる。
このため、再熱蒸気温度制御が行なえる範囲で最大の開度に設定することは、現実的に困難であり、行なわれていないのが実情である。
【０００５】
本発明は、上記問題点に鑑み、誘引通風機の消費動力を低減させ得る再熱蒸気温度制御方法、再熱蒸気温度制御装置およびこれを用いたボイラプラントを提供することを目的とする。
【課題を解決するための手段】
【０００６】
上記課題を解決するために、本発明は以下の手段を採用する。
すなわち、本発明にかかる再熱蒸気温度制御方法は、再熱器を包囲するように煙道に配置された再熱通路と、前記煙道に該再熱通路と並列して配置された過熱通路と、前記再熱通路の出口に設けられた再熱通路ガスダンパと、前記過熱通路の出口に設けられた過熱通路ガスダンパと、前記再熱通路および前記過熱通路からの燃焼ガスを誘引して排出する誘引通風機とが備えられ、前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように調節する再熱蒸気温度制御方法において、前記再熱蒸気温度が所定値に安定した後、前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させることを特徴とする。
【０００７】
このように、再熱蒸気温度が所定値に安定した後、再熱通路ガスダンパの開度および過熱通路ガスダンパの開度を同時に漸増させるので、再熱通路ガスダンパの開度および過熱通路ガスダンパの開度が増加し、それらを合計した合計開度が増加することになる。合計開度が増加すると、その増加分だけ燃焼ガスに作用する抵抗が減少するので、その抵抗減少分だけ燃焼ガスの圧力損失は低減する。このため、燃焼ガスの流量を略同一とすれば、誘引通風機での誘引力を小さくでき、その動力を低減させることができる。
また、再熱通路ガスダンパの開度と過熱通路ガスダンパの開度とは、同時に増加させられるようにしているので、再熱通路と過熱通路とを通る燃焼ガスの比率は大きく変動しないこととなる。そして、開度は漸増されるので、再熱蒸気温度制御に対して大きな影響を与えない、すなわち大きな外乱とならない。したがって、再熱蒸気温度が所定値に安定した状態で、誘引通風機の動力を低減させることができる。
さらに、再熱蒸気温度が所定値から変動すると再熱通路ガスダンパの開度および過熱通路ガスダンパの開度を同時に漸減させるので、再熱通路ガスダンパの開度および過熱通路ガスダンパの開度を再熱蒸気温度が所定値に安定する値に戻すことができる。言い換えると、再熱通路ガスダンパおよび過熱通路ガスダンパが制御裕度を確保できる開度まで漸減されることができる。
したがって、このような漸増、漸減を繰り返すことによってその時の燃料に対する再熱通路ガスダンパの開度および過熱通路ガスダンパの開度の最大値の近くで運転できるので、誘引通風機は最適の条件で駆動されることとなり、その動力を低減させることができる。
【０００８】
上記発明においては、前記再熱通路ガスダンパの開度および前記過熱通路ガスダンパの開度の漸増は、前記各開度に対して同じ割合で増加させることが好適である。
このようにすると、再熱通路と過熱通路とを通る燃焼ガスの比率はほとんど変動しないこととなるので、再熱蒸気温度が所定値に安定した状態で、一層開度を増加させることができる。
【０００９】
本発明にかかる再熱蒸気温度制御装置は、再熱器を包囲するように煙道に配置された再熱通路と、前記煙道に該再熱通路と並列して配置された過熱通路と、前記再熱通路の出口に設けられた再熱通路ガスダンパと、前記過熱通路の出口に設けられた過熱通路ガスダンパと、前記再熱通路および前記過熱通路からの燃焼ガスを誘引して排出する誘引通風機とが備えられ、前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように制御する開度制御モードが備えられた再熱蒸気温度制御装置において、前記開度制御モードによって前記再熱蒸気温度が所定値に安定した後、前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させる最適開度設定モードが備えられていることを特徴とする。
【００１０】
このように、開度制御モードによって再熱蒸気温度が所定値に安定した後、最適開度設定モードによって再熱通路ガスダンパの開度および過熱通路ガスダンパの開度を同時に漸増させるので、再熱通路ガスダンパの開度および過熱通路ガスダンパの開度が増加し、それらを合計した合計開度が増加することになる。合計開度が増加すると、その増加分だけ燃焼ガスに作用する抵抗が減少するので、その抵抗減少分だけ燃焼ガスの圧力損失は低減する。このため、燃焼ガスの流量を略同一とすれば、誘引通風機での誘引力を小さくでき、その動力を低減させることができる。
また、この時再熱通路ガスダンパの開度と過熱通路ガスダンパの開度とは、同時に増加させられるようにしているので、再熱通路と過熱通路とを通る燃焼ガスの比率は大きく変動しないこととなる。そして、開度は漸増されるので、再熱蒸気温度制御に対して大きな影響を与えない、すなわち大きな外乱とならない。したがって、再熱蒸気温度が所定値に安定した状態で、誘引通風機の動力を低減させることができる。
さらに、最適開度設定モードは再熱蒸気温度が所定値から変動すると再熱通路ガスダンパの開度および過熱通路ガスダンパの開度を同時に漸減させるので、再熱通路ガスダンパの開度および過熱通路ガスダンパの開度を再熱蒸気温度が所定値に安定する値に戻すことができる。
したがって、このような漸増、漸減を繰り返すことによってその時の燃料に対する再熱通路ガスダンパの開度および過熱通路ガスダンパの開度の最大値の近くで運転できるので、誘引通風機は最適の条件で駆動されることとなり、その動力を低減させることができる。
【００１１】
上記発明においては、前記最適開度設定モードは、前記再熱通路ガスダンパの開度および前記過熱通路ガスダンパの開度を、前記各開度に対して同じ割合で増加させることが好適である。
このようにすると、最適開度設定モードによる漸増中、再熱通路と過熱通路とを通る燃焼ガスの比率はほとんど変動しないこととなるので、再熱蒸気温度が所定値に安定した状態で、一層開度を増加させることができる。
【００１２】
また、本発明にかかるボイラプラントは、再熱器を包囲するように煙道に配置された再熱通路と、前記煙道に該再熱通路と並列して配置された過熱通路と、前記再熱通路の出口に設けられた再熱通路ガスダンパと、前記過熱通路の出口に設けられた過熱通路ガスダンパと、前記再熱通路および前記過熱通路からの燃焼ガスを誘引して排出する誘引通風機と、前記再熱通路ガスダンパおよび前記過熱通路ガスダンパの合計開度を所定値とし、前記再熱通路ガスダンパの開度と前記過熱通路ガスダンパの開度とを、再熱蒸気温度が所定値になるように制御する再熱蒸気温度制御装置と、が備えられたボイラプラントにおいて、前記再熱蒸気温度制御装置には、前記再熱蒸気温度が所定値に安定した後、前記合計開度を漸増させるように前記再熱通路ガスダンパの開度および前記過熱通路ガスダンパの開度を同時に漸増させ、前記再熱蒸気温度が前記所定値から変動すると前記再熱通路ガスダンパの開度および前記過熱通路ガスダンパの開度を同時に漸減させる最適開度設定モードが備えられていることを特徴とする。
【００１３】
このように、再熱蒸気温度制御装置によって再熱蒸気温度が所定値に安定した後、最適開度設定モードは再熱通路ガスダンパの開度および過熱通路ガスダンパの開度を同時に漸増させるので、再熱通路ガスダンパの開度および過熱通路ガスダンパの開度が増加し、それらを合計した合計開度が増加することになる。合計開度が増加すると、その増加分だけ燃焼ガスに作用する抵抗が減少するので、その抵抗減少分だけ燃焼ガスの圧力損失は低減する。このため、燃焼ガスの流量を略同一とすれば、誘引通風機での誘引力を小さくでき、その動力を低減させることができる。
また、この時再熱通路ガスダンパの開度と過熱通路ガスダンパの開度とは、同時に増加させられるようにしているので、再熱通路と過熱通路とを通る燃焼ガスの比率は大きく変動しないこととなる。そして、開度は漸増されるので、再熱蒸気温度制御に対して大きな影響を与えない、すなわち外乱とならない。したがって、再熱蒸気温度が所定値に安定した状態で、誘引通風機の動力を低減させることができる。
さらに、最適開度設定モードは再熱蒸気温度が所定値から変動すると再熱通路ガスダンパの開度および過熱通路ガスダンパの開度を同時に漸減させるので、再熱通路ガスダンパの開度および過熱通路ガスダンパの開度を再熱蒸気温度が所定値に安定する値に戻すことができる。
したがって、このような漸増、漸減を繰り返すことによってその時の燃料に対する再熱通路ガスダンパの開度および過熱通路ガスダンパの開度の最大値の近くで運転できるので、誘引通風機は最適の条件で駆動されることとなり、その動力を低減させることができる。
【００１４】
上記発明においては、前記最適開度設定モードは、前記再熱通路ガスダンパの開度および前記過熱通路ガスダンパの開度を、前記各開度に対して同じ割合で増加させることが好適である。
このようにすると、再熱通路と過熱通路とを通る燃焼ガスの比率はほとんど変動しないこととなるので、再熱蒸気温度が所定値に安定した状態で、一層開度を増加させることができる。
【発明の効果】
【００１５】
本発明によれば、再熱蒸気温度が所定値に安定した後、再熱通路ガスダンパの開度および過熱通路ガスダンパの開度を同時に漸増させ、再熱蒸気温度が所定値から変動すると再熱通路ガスダンパの開度および過熱通路ガスダンパの開度を同時に漸減させるので、誘引通風機は最適の条件で駆動されることとなり、その動力を低減させることができる。
【発明を実施するための最良の形態】
【００１６】
以下、本発明の一実施形態にかかるボイラプラント１について、図１〜図３を用いて説明する。
図１は、本実施形態にかかるボイラプラント１の全体概略構成を示すブロック図である。
ボイラプラント１には、鉛直方向に設置された火炉３と、火炉３の火炉壁５の下部に設置された燃焼装置７と、火炉３の出口に連結された煙道９と、煙道９に設けられた二次過熱器１１と、二次再熱器１３と、一次再熱器（再熱器）１５と、一次過熱器（過熱器）１７と、節炭器１９と、火炉３の上方に設けられた蒸気ドラム２１と、煙道９に設けられた誘引通風機２３と、煙突２５と、制御装置２７と、が備えられている。
【００１７】
火炉壁５の内側には、多数の蒸発管（図示せず）がそれぞれ上下方向に延設されている。各蒸発管は、上下各端部が蒸気ドラム２１に接続されている。
煙道９における火炉３と並列に配置された部分は、仕切板２９によって火炉側の再熱通路３１と外側の過熱通路３３とに分割されている。再熱通路３１には、一次再熱器１５が設置されている。再熱通路３１の出口部には、再熱通路ガスダンパ３５が設けられている。再熱通路ガスダンパ３５は、再熱アクチュエータ３９によって開度が調節されるように構成されている。
過熱通路３３には、上から下に向かい一次過熱器１７と節炭器１９とが設置されている。過熱通路３３の出口部には、過熱通路ガスダンパ３７が設けられている。過熱通路ガスダンパ３７は、過熱アクチュエータ４１によって開度が調節されるように構成されている。
【００１８】
燃焼装置７には、火炉壁５に取り付けられた複数の微粉炭バーナ４３と、微粉炭バーナ４３に微粉炭を供給する微粉炭供給手段４５と、微粉炭バーナ４３に燃焼用空気として二次空気を供給する空気供給手段４７と、が備えられている。
微粉炭供給手段４５には、図示しない給炭機および計量器を経て供給された石炭を燃焼に適した大きさ（例えば、数μｍ〜数百μｍ）まで粉砕する図示しない微粉炭機と、微粉炭機で生成された微粉炭を図示しない空気源から供給される加圧された搬送空気によって微粉炭混合気として微粉炭バーナ４３へ気流搬送する給炭管４７とが備えられている。
空気供給手段４７には、空気を加圧して供給する押込通風機４９と、火炉３外壁に設けられた風箱５１と、押込通風機４９と風箱５１とを接続する空気管５３とが備えられている。回転再生式熱交換器５５が空気管５３と煙道９とにまたがって、二次空気と燃焼ガスとを熱交換させるように設置されている。
【００１９】
制御装置２７は、ボイラプラント１の各部の運転を制御するものである。制御装置２７には、再熱蒸気温度を制御する再熱蒸気温度制御装置５７が備えられている。再熱蒸気温度制御装置５７は、温度計５９が測定する二次再熱器１３の出口温度を受け、再熱アクチュエータ３９および過熱アクチュエータ４１を駆動し、この出口温度が所定温度になるように再熱通路ガスダンパ３５および過熱通路ガスダンパ３７の開度を調整するように構成されている。
なお、本実施形態のボイラプラント１では、燃料として微粉炭（石炭）を用いているが、油等の液体燃料でも、ＬＮＧ、ＬＰＧ等のガス燃料でも、あるいはこれらの混合であってもよい。
【００２０】
以上、説明した本実施形態にかかるボイラプラント１の運転について説明する。
図示しない微粉炭機で生成された微粉炭は、加圧された搬送空気と混合されて微粉炭混合気を形成され、給炭管４７を通って微粉炭バーナ４３へ送られる。
一方、押込通風機４９で加圧されて供給される二次空気は、回転再生式熱交換器５５によって燃焼ガスから熱量を供給され、昇温されて空気管５３を経て風箱５１へ供給される。二次空気は風箱５１から微粉炭バーナ４３へ送られる。
微粉炭バーナ４３から火炉３内へ微粉炭混合気と二次空気とが供給され、着火されると火炉内に火炎が生じる。
【００２１】
このようにして火炉３内の下部に火炎を生じさせると、燃焼ガスが火炉３内を下から上に流れ、煙道９に排出される。
煙道９に入った燃焼ガスは、再熱通路３１および過熱通路３３に分流される。
この時、給水ポンプ５９から供給された水は、節炭器１９によって予熱された後、蒸気ドラム２１に供給される。蒸気ドラム２１から火炉壁５の各蒸発管（図示せず）に供給された水は、蒸発管を下から上に流れる間に加熱されて飽和蒸気となり、蒸気ドラム２１に送り込まれる。
【００２２】
さらに、蒸気ドラム２１の飽和蒸気は一次過熱器１７に、次いで二次過熱器１１に導入され、燃焼ガスによって過熱される。二次過熱器１１で生成された過熱蒸気は所定のプラント（例えば、タービン等）に供給される。
一方、タービンでの膨張過程の中途で取り出した蒸気は、一次再熱器１５に、次いで二次再熱器１３導入し、再度過熱しタービンに戻される。
そして、節炭器１９を通過した燃焼ガスは、回転再生式熱交換器５５にて空気管５３を通過する二次空気に熱量を供給し、脱硫、脱硝、除塵等の処理を施されて、煙突から大気中に排出される。
【００２３】
次に、ボイラプラント１が所定の燃焼条件で運転されている場合における再熱蒸気温度の制御方法について図２を参照して説明する。
一次再熱器１５で受取る熱量は再熱通路３１を通る燃焼ガス量によって変動するので、この燃焼ガス量を調節すると再熱蒸気温度が調節することができる。
【００２４】
再熱通路ガスダンパ３５は、再熱通路３１を通る燃焼ガスに対する抵抗となる。同じく過熱通路ガスダンパ３７は、過熱通路３３を通る燃焼ガスに対する抵抗となる。
例えば、再熱通路ガスダンパ３５の開度を増加させると、再熱通路３１における燃焼ガスに対する抵抗が小さくなるので、燃焼ガスはより多く流れる。一方、その開度を減少させると、再熱通路３１における燃焼ガスに対する抵抗が大きくなって燃焼ガスの流量は減少する。
過熱通路３３を流れる燃焼ガスおよび過熱通路ガスダンパ３７も同様な関係にある。
したがって、再熱通路ガスダンパ３５の開度を調節して、再熱通路３１を通る燃焼ガス量を増減させると、一次再熱器１５が受取る熱量が増減するので、再熱蒸気温度を制御することができる。
【００２５】
火炉３で発生する燃焼ガス量は略一定で、圧力等の条件も略一定にする必要があるため、再熱通路３１と過熱通路３３とを通る燃焼ガス量は略一定となる。このため、再熱通路ガスダンパ３５の開度と過熱通路ガスダンパ３７の開度とを合計した合計開度は、略一定にされている。
したがって、再熱通路ガスダンパ３５の開度を増加させると、過熱通路ガスダンパ３７の開度を減少させるように調節される。
図２には、再熱通路ガスダンパ３５の開度と過熱通路ガスダンパ３７の開度とを合計した合計開度を１３０％とした時の再熱通路ガスダンパ３５の開度ＲＨと過熱通路ガスダンパ３７の開度ＳＨとの関係が示されている。これは、再熱通路ガスダンパ３５の開度ＲＨが開度指令に対応して変化した時の、過熱通路ガスダンパ３７の開度ＳＨとの関係が示されている。
再熱通路ガスダンパ３５の開度ＲＨには、最低開度として３０％の開度が設定されている。この最低開度は、過熱通路ガスダンパ３７にも設定されている。そして、最低開度の値は、合計開度の大きさに対応して適宜な値に設定される。
【００２６】
具体的には、再熱蒸気温度制御装置５７の開度制御モードＣＭでは、温度計５９からの再熱蒸気温度信号を受けて、それが所定値よりも低い場合には、開度を増加させる信号を再熱アクチュエータ３９に送り、再熱通路ガスダンパ３５の開度を増加させる。同時に、開度を減少させる信号を過熱アクチュエータ４１に送り、過熱通路ガスダンパ３７の開度を減少させる。
温度計５９の検出値が所定値よりも高い場合には、開度を減少させる信号を再熱アクチュエータ３９に送り、再熱通路ガスダンパ３５の開度を減少させ、一方、開度を増加させる信号を過熱アクチュエータ４１に送り、過熱通路ガスダンパ３７の開度を増加させる。
これを繰り返すことで、再熱蒸気温度は所定値になるように制御される。
【００２７】
次に、再熱蒸気温度制御装置５７の最適開度設定モードＷＭについて、図３によって説明する。
最適開度設定モードＷＭでは、まず、開度制御モードＣＭにおいて行われる開度制御が安定したか否かを判定する（ステップＳ）。
これは、例えば、所定時間内における再熱蒸気温度の所定値からの偏差が所定範囲に納まっている（安定）か否（不安定）かを判定するもので、随時行なわれている。
この制御安定性判定の結果、安定（Ｙｅｓ）の場合には、再熱通路ガスダンパ３５および過熱通路ガスダンパ３７の開度を所定割合で増加させるワイドオープンを行う（ステップＳ２）。
所定割合は、再熱蒸気温度制御の外乱とならないような変化量、例えば、再熱通路ガスダンパ３５および過熱通路ガスダンパ３７の開度をそれぞれ毎分５％ずつ増加に設定される。
【００２８】
そして、再熱通路ガスダンパ３５および過熱通路ガスダンパ３７の開度のどちらか一方が、全開になるか、あるいは両者の合計開度が予め設定した値に達すると、ワイドオープンを終了する（ステップＳ３）。
それ以外の場合には、随時所定時間内における再熱蒸気温度の所定値からの偏差が所定範囲に納まっている（安定）か否（不安定）かを判定する（ステップＳ４）。
この制御安定性判定の結果、安定（Ｙｅｓ）の場合には、ステップ２のワイドオープンを続行する。
この制御安定性判定の結果、不安定（Ｎｏ）の場合には、ワイドオープンを解除し、再熱通路ガスダンパ３５および過熱通路ガスダンパ３７の開度を所定割合で減少させる（ステップＳ５）。この時も、随時、ステップ４の制御の安定性をチェックし、制御が安定すると、ステップＳ２に戻り、ワイドオープンを開始する。
【００２９】
このようにして、再熱蒸気温度を所定値に制御した状態で、再熱通路ガスダンパ３５および過熱通路ガスダンパ３７の開度の合計開度をできるだけ大きな値にすることができる。
合計開度が増加すると、燃焼ガスに対する抵抗が減少するので、再熱蒸気温度制御装置５７は、誘引通風機２３のファン回転数を低減させ、排出される燃焼ガス量が増加しないようにする。
【００３０】
以下、本実施形態の作用効果を説明する。
このように、開度制御モードＣＭによって再熱蒸気温度が所定値に安定した後、最適開度設定モードＷＭによって再熱通路ガスダンパ３５の開度および過熱通路ガスダンパ３７の開度を同時に所定割合ずつ増加させるので、再熱通路ガスダンパ３５の開度および過熱通路ガスダンパ３７の開度が増加し、それらを合計した合計開度が増加することになる。合計開度が増加すると、その増加分だけ燃焼ガスに作用する抵抗が減少するので、その抵抗減少分だけ燃焼ガスの圧力損失は低減する。
このため、燃焼ガスの流量を略同一とすれば、誘引通風機２３での誘引力を小さくでき、その動力を低減させることができる。
【００３１】
また、この時再熱通路ガスダンパ３５の開度と過熱通路ガスダンパ３７の開度とは、同時に所定割合ずつ増加させられるようにしているので、再熱通路３１と過熱通路３３とを通る燃焼ガスの比率は大きく変動しないこととなる。そして、開度は再熱蒸気温度制御の外乱とならないような変化量で増加されるので、再熱蒸気温度制御に対して大きな影響を与えない、すなわち大きな外乱とならない。したがって、再熱蒸気温度が所定値に安定した状態で、誘引通風機２３の動力を低減させることができる。
さらに、最適開度設定モードＷＭは再熱蒸気温度が所定値から変動すると再熱通路ガスダンパ３５の開度および過熱通路ガスダンパ３７の開度を同時に漸減させるので、再熱通路ガスダンパ３５の開度および過熱通路ガスダンパ３７の開度を再熱蒸気温度が所定値に安定する値に戻すことができる。
したがって、このような漸増、漸減を繰り返すことによってその時の燃料に対する再熱通路ガスダンパ３５の開度および過熱通路ガスダンパ３７の開度の最大値の近くで運転できるので、誘引通風機２３は最適の条件で駆動されることとなり、その動力を低減させることができる。
【００３２】
なお、本実施形態では、ワイドオープンにおいて、再熱ガスダンパ３５および過熱ガスダンパ３７の開度を所定割合ずつ増加させるようにしたが、所定割合に近接した所定量であってもよいし、両者が近接した開度であれば、所定量ずつであってもよい。
【００３３】
また、本実施形態では、本発明を上記した型式のボイラプラント１に適用しているが、ボイラプラントの型式はこれに限定されるものではなく、一次過熱器１１、二次過熱器１７、一次再熱器１３、二次再熱器１５、節炭器１９の配置が異なる場合や、蒸気ドラム２１がない場合、回転再生式熱交換器５５がない場合等種々の態様を備えたボイラプラント１に適用できる。
【図面の簡単な説明】
【００３４】
【図１】本発明の一実施形態にかかるボイラプラントの全体概略構成を示すブロック図である。
【図２】本発明の一実施形態にかかる開度制御モードにおける再熱ガスダンパおよび過熱ガスダンパの開度の状態を示すグラフである。
【図３】本発明の一実施形態にかかる最適開度設定モードを示すフロー図である。
【符号の説明】
【００３５】
１  ボイラプラント
９  煙道
１５  一次再熱器
２３  誘引通風機
３１  再熱通路
３３  過熱通路
３５  再熱通路ガスダンパ
３７  過熱通路ガスダンパ
５７  再熱蒸気温度制御装置
ＣＭ  開度制御モード
ＷＭ  最適開度設定モード
【図１】
2006242517.tif 000003
【図２】
2006242517.tif 000004
【図３】
2006242517.tif 000005